(57)【要約】【課題】肛門部及び陰部といった排泄部やその周辺部へのスキンケア剤の移行性に優れる吸収性物品を提供すること。【解決手段】本発明の吸収性物品は、表面シート１２が、その非肌対向面において、該非肌対向面に接する部材と接合されている。表面シート１２の非肌対向面のうち接合されている領域は、該表面シート１２の幅方向中央域に位置し且つ接合力が相対的に低い中央低接合領域２１と、該表面シート１２の幅方向側部域に位置するとともに該中央低接合領域２１に隣接し且つ接合力が相対的に高い一対の側部高接合領域２３とを有している。表面シート１２には、スキンケア剤が施されている【選択図】図４
2020054599.tif 000002
【特許請求の範囲】
【請求項１】
表面シートが、その非肌対向面において、該非肌対向面に接する部材と接合されており、
前記表面シートの非肌対向面のうち、該非肌対向面に接する部材と接合されている領域は、該表面シートの幅方向中央域に位置し且つ接合力が相対的に低い中央低接合領域と、該表面シートの幅方向側部域に位置するとともに該中央低接合領域に隣接し且つ接合力が相対的に高い一対の側部高接合領域とを有し、
前記表面シートにスキンケア剤が施されている、吸収性物品。
【請求項２】
前記表面シートは、前記中央低接合領域と重なる領域に前記スキンケア剤が施されている、請求項１に記載の吸収性物品。
【請求項３】
前記中央低接合領域と前記側部高接合領域との乾燥時の接合強度の差が０．５Ｎ／５０ｍｍ以上である、請求項１又は２に記載の吸収性物品。
【請求項４】
前記中央低接合領域及び前記側部高接合領域には、ホットメルト接着剤が施されており、
前記中央低接合領域におけるホットメルト接着剤の坪量をＢ１とし、前記側部高接合領域におけるホットメルト接着剤の坪量をＢ２としたとき、Ｂ１に対するＢ２の比率であるＢ２／Ｂ１の値が１．２以上である、請求項１〜３の何れか一項に記載の吸収性物品。
【請求項５】
前記中央低接合領域にはホットメルト接着剤が施され、前記側部高接合領域にはヒートシールが施されている、請求項１〜４の何れか一項に記載の吸収性物品。
【請求項６】
前記中央低接合領域においては、揉み試験評価によって、前記表面シートと、該表面シートに接する部材とが剥離可能になっているとともに、前記側部高接合領域においては同条件の擦過によって前記表面シートと、該表面シートに接する部材とが剥離不能になっている、請求項１〜５の何れか一項に記載の吸収性物品。
【請求項７】
吸収性コアを更に含み、該吸収性コアは、その長手方向に延びる折曲誘導部を有しており、
前記折曲誘導部は、平面視において前記中央低接合領域と重なる位置にある、請求項１〜６の何れか一項に記載の吸収性物品。
【請求項８】
吸収性コアを更に含み、着用者の排泄部及び着用者の腹側に配される腹側部、股間部に配される股下部及び背側に配される背側部を有しており、
前記吸収性コアは、高坪量領域と、該高坪量領域よりも相対的に坪量が低い低坪量領域とを有しており、
前記低坪量領域は、前記背側部に形成されており、且つ平面視において前記中央低接合領域と重なる位置にある、請求項１〜７の何れか一項に記載の吸収性物品。
【請求項９】
前記表面シートが２層以上の繊維層からなり、着用者の肌から最も近い位置に配される肌側繊維層と、該肌側繊維層に比して着用者の肌から遠い位置に配される非肌側繊維層とを有し、
前記肌側繊維層は、前記非肌側繊維層よりも繊維密度が高く、且つ前記スキンケア剤が施されている、請求項１〜８の何れか一項に記載の吸収性物品。
【発明の詳細な説明】
【技術分野】
【０００１】
本発明は、使い捨ておむつや生理用ナプキンなどの吸収性物品に関する。
【背景技術】
【０００２】
皮膚のかぶれ等の肌トラブルの発生を抑制する観点から、使い捨ておむつ等の吸収性物品を構成する部材にスキンケア剤を含有させた吸収性物品が提案されている。例えば、本出願人は、先に、吸収性物品の所定部位に、スキンケア効果を有し且つ高吸収性ポリマーに対して実質的に分解作用を有さない植物エキスが施されており、前記所定部位から着用者の皮膚に移行して付着し得る状態で存在している吸収性物品を提案している（特許文献１）。この植物エキスは、防漏層と共に吸収層を挟持する表面層に施されている。
【０００３】
また、特許文献２には、基部と、当該基部から肌対向面側に向かって突出する凸部とを有する表面シートを備え、該凸部における頂部及び側壁部において、植物由来成分からなる弱酸性化剤を含み、該側壁部の繊維密度が該頂部の繊維密度よりも小さい、吸収性物品が記載されている。特許文献２によれば、表面シートの肌対向面側の表面に弱酸性剤を付着させる。
【先行技術文献】
【特許文献】
【０００４】
【特許文献１】特開２００２−０４５３９１号公報
【特許文献２】特開２０１８−１５５２０号公報
【発明の概要】
【発明が解決しようとする課題】
【０００５】
肌トラブルは、肛門部及び陰部といった排泄部やその周辺部で生じ易い。しかし、排泄部は、臀部の割れ目（臀裂）や臀溝のように凹んだ部位であり、表面シートと接触し難いので、該表面シートに施されたスキンケア剤は、該排泄部及びその周辺部に移行し難い。特許文献１及び２は、排泄部やその周辺部へのスキンケア剤の移行性を向上させる技術を開示するものではない。
【０００６】
したがって本発明の課題は、前述した従来技術が有する欠点を解消し得る吸収性物品を提供することにある。
【課題を解決するための手段】
【０００７】
本発明は、表面シートが、その非肌対向面において、該非肌対向面に接する部材と接合されており、
前記表面シートの非肌対向面のうち、該非肌対向面に接する部材と接合されている領域は、該表面シートの幅方向中央域に位置し且つ接合力が相対的に低い中央低接合領域と、該表面シートの幅方向側部域に位置するとともに該中央低接合領域に隣接し且つ接合力が相対的に高い一対の側部高接合領域とを有し、
前記表面シートにスキンケア剤が施されている、吸収性物品を提供するものである。
【発明の効果】
【０００８】
本発明の吸収性物品は、肛門部及び陰部といった排泄部やその周辺部へのスキンケア剤の移行性に優れたものである。
【図面の簡単な説明】
【０００９】
【図１】図１は、本発明の吸収性物品の一実施形態である使い捨ておむつを肌対向面側から視た平面図であり、各部の弾性部材を伸長させて平面状に拡げた展開状態における平面図である。
【図２】図２は、図１のＩＩ−ＩＩ線断面図である。
【図３】図３は、図２に示す中央低接合領域及び側部高接合領域と、表面シートと、吸収体との配置関係を示す平面図である。
【図４】図４は、本発明の効果を説明するための図２相当図である。
【図５】図５は、本発明に係る吸収体の別の実施形態における要部を示す図であり、該吸収体が具備する吸収性コアと、表面シートとの配置関係を示す平面図である。
【図６】図６は、図５に示す吸収性コアを具備する使い捨ておむつの効果を説明するための図４相当図である。
【図７】図７は、本発明に係る吸収体のさらに別の実施形態における要部を示す図であり、該吸収体が具備する吸収性コアと、表面シートとの配置関係を示す平面図である。
【発明を実施するための形態】
【００１０】
以下本発明を、その好ましい実施形態に基づき図面を参照しながら説明する。図１及び図２には、本発明の吸収性物品の一実施形態である使い捨ておむつ１００の基本的な構造が示されている。おむつ１００は、着用者の腹側から股間部を介して背側に延びる方向に相当する長手方向Ｘとこれに直交する幅方向Ｙとを有する縦長の形状をしている。おむつ１００は、着用者の股間部に配される股下部Ｃ並びにその前後に延在する腹側部Ａ及び背側部Ｂを有する。股下部Ｃは、おむつ１００の着用時に着用者の排泄部に対向配置される排泄部対向部を有している。排泄部対向部は通常、おむつ１００の長手方向Ｘの中央部又はその近傍に位置している。
【００１１】
おむつ１００は、着用者の胴が通されるウエスト開口部、及び着用者の下肢が通される一対のレッグ開口部を有するパンツ型のものである。おむつ１００においては、腹側部Ａ及び背側部Ｂそれぞれにおける外装体５の長手方向Ｘに沿う両側縁部どうしが、接着剤、ヒートシール、超音波シール等の公知の接合手段によって互いに接合されている。これにより、前述のウエスト開口部、及び一対のレッグ開口部が形成されている。
【００１２】
図１には、展開且つ伸長状態のおむつ１００が示されている。おむつ１００の「展開且つ伸長状態」とは、腹側部Ａ及び背側部Ｂそれぞれの外装体５の長手方向Ｘに沿う両側縁部を接合した状態から切り離して展開状態とし、その展開状態のおむつ１００における各部の弾性部材を伸長させて設計寸法（弾性部材の影響を一切排除した状態で平面状に広げたときの寸法と同じ）となるまで拡げた状態をいう。
【００１３】
おむつ１００は、外装体５と、該外装体５に固定されている吸収性本体１０とを具備する。外装体５は、腹側部Ａを形成する腹側シート部材５Ａと、背側部Ｂを形成する背側シート部材５Ｂとを有しており、一対のサイドシール部４，４においては、腹側シート部材５Ａと背側シート部材５Ｂとが接合されている。吸収性本体１０は、図１に示すとおり、腹側シート部材５Ａの幅方向Ｙの中央部と背側シート部材５Ｂの幅方向Ｙの中央部とに架け渡されて固定されている。吸収性本体１０は、腹側シート部材５Ａ及び背側シート部材５Ｂのそれぞれと重なる部分が、接着剤等の公知の接合手段により、全面的又は部分的に、両シート部材５Ａ，２Ｂと接合されている。
【００１４】
図２に示すとおり、おむつ１００は、吸収性本体１０を構成する構成部材として、着用者の肌対向面側に位置する表面シート１２と、非肌対向面側に位置する裏面シート１３と、両シート１２，１３間に介在配置された吸収体１４とを備えている。本明細書において、「肌対向面」は、吸収性物品又はその構成部材（例えば表面シート１２）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。ここでいう「着用時」は、通常の適正な着用位置、即ち当該吸収性物品の正しい着用位置が維持された状態を意味し、吸収性物品が該着用位置からずれた状態にある場合は含まない。
【００１５】
表面シート１２としては、液透過性を有するシート、例えば不織布や穿孔フィルムなどを用いることができる。一方、裏面シート１３としては、例えば液難透過性のフィルムやスパンボンド・メルトブローン・スパンボンド積層不織布などを用いることができる。液難透過性のフィルムに、複数の微細孔を設け、該フィルムに水蒸気透過性を付与してもよい。本実施形態では、おむつの肌触り等を一層良好にする目的で、裏面シート１３の外面に不織布等の風合いの良好な最外層シート１３ａを積層している。
【００１６】
吸収体１４は、吸収性コア（不図示）を備えている。吸収性コアは例えば、パルプを始めとするセルロース等の親水性繊維の積繊体から構成されているか、該親水性繊維と吸収性ポリマーとの混合積繊体から構成されているか、吸収性ポリマーの堆積体から構成されているか、又は２枚の吸収性シート間に吸収性ポリマーが担持された積層構造体から構成されている。吸収体１４は、吸収性コアを被覆するコアラップシートを備えていてもよく、該コアラップシートを備えていなくともよい。コアラップシートを備える場合、吸収性コアは、少なくともその肌対向面が液透過性のコアラップシートで覆われていればよく、肌対向面及び非肌対向面を含む表面の全域がコアラップシートで覆われていてもよい。コアラップシートとしては、例えば親水性繊維からなる薄葉紙や、液透過性を有する不織布などを用いることができる。
【００１７】
おむつ１００は、表面シート１２の肌対向面における長手方向Ｘに沿う両側に、長手方向Ｘに沿って延びる一対の防漏カフ１５，１５を備えている。防漏カフ１５は、基端部と自由端とを備えている。防漏カフ１５は、おむつ１００の肌対向面側に基端部を有し、肌対向面側から起立している。防漏カフ１５は、吸収体１４の長手方向Ｘの全長に亘って連続するカフ形成用シート１５ａと、該防漏カフ１５の自由端又はその近傍に伸長状態で配された糸ゴム等からなる弾性部材１５ｂとを含んで構成されている。カフ形成用シート１５ａは、その幅方向の一側縁部が、防漏カフ１５の基端部に位置しているとともに、他側縁部が裏面シート１３と最外層シート１３ａとの間に位置している。おむつ１００の着用状態においてこの弾性部材１５ｂが収縮することによって、防漏カフ１５が着用者の身体に向けて起立するようになり、表面シート１２上に排泄された液が、表面シート１２上を伝いおむつ１００の幅方向外方へ漏れ出すことが効果的に阻止される。カフ形成用シート１５ａとしては、液抵抗性ないし撥水性で且つ通気性の素材を用いることができる。
【００１８】
おむつ１００の股下部Ｃにおいて、カフ形成用シート１５ａは、防漏カフ１５の起立部分よりも幅方向Ｙの外方側が、着用者の脚周りに配されるレッグ周縁部１９を形成している。このレッグ周縁部１９では、レッグ部弾性部材１６が伸長状態で配されており、その収縮により、着用状態における股下部Ｃに着用者の脚周りへのフィット性を向上させるレッグギャザーが形成される。
【００１９】
外装体５を構成する腹側シート部材５Ａ及び背側シート部材５Ｂは、それぞれ、おむつの外面をなす外層シートと、該外層シートの内面側に配された内層シートと、これら両シート間に伸張状態で配された複数本の糸状の弾性部材１７とを備えている。この弾性部材１７の収縮により、着用者の胴回り及びウエスト周りに配される部位へのフィット性が向上する。
【００２０】
表面シート１２は、図２に示すとおり、その非肌対向面において、該非肌対向面に接する部材と接合されている。詳細には、表面シート１２は吸収体１４と接している。また表面シート１２は、吸収体１４よりも幅方向Ｙの外方側において、裏面シート１３と接している。表面シート１２と、該表面シート１２の非肌対向面に接する部材とは、公知の接合手段によって互いに接合されている。公知の接合手段としては、ホットメルト接着剤等の各種接着剤、ヒートシール、超音波シール、高周波シール等の融着手段等が挙げられる。
【００２１】
表面シート１２の非肌対向面のうち、他の部材と接合されている領域は、図２及び図３に示すとおり、中央低接合領域２１と、該中央低接合領域２１を挟む一対の側部高接合領域２３とを有している。中央低接合領域２１は、表面シート１２の幅方向中央域に位置し且つ接合力が相対的に低い接合領域である。側部高接合領域２３は、表面シート１２の幅方向側部域に位置するとともに中央低接合領域２１に隣接し且つ接合力が相対的に高い接合領域である。中央低接合領域２１及び側部高接合領域２３はいずれも、おむつ１００の長手方向に沿って延びている。本実施形態においては図２に示すとおり、中央低接合領域２１は、表面シート１２の幅方向中央域と吸収体１４の幅方向中央域とを接合している。一方、各側部高接合領域２３は、表面シート１２の幅方向側部域と、吸収体１４の幅方向側部域、及び裏面シート１３のうち、防漏カフ１５の基端部近傍に位置する領域とを接合している。
【００２２】
表面シート１２にはスキンケア剤が施されている。スキンケア剤は、着用者の肌に対して保護、治癒等の効能を有するものである。表面シート１２にスキンケア剤が施されていることによって、おむつ１００の装着状態においてスキンケア剤が表面シート１２から着用者の肌に移行してスキンケア効果が発現する。本実施形態においては、後述するとおり、スキンケア剤の移行が円滑に行われるので、スキンケア効果が一層効果的に発現する。スキンケア剤としては、例えば各種植物エキス、コラーゲン、天然保湿成分（ＮＭＦ）、１，３−ブチレングリコール、プロピレングリコール、ジプロピレングリコール、グリセリン等の保湿剤、アルギニン、グアニジン誘導体（例えば、２−（２−ヒドロキシエトキシ）エチルグアニジンの有機酸塩（例えばコハク酸塩、グリコール酸塩、乳酸塩、リンゴ酸塩、クエン酸塩、酒石酸塩等））等の角質柔軟化剤、グアイアズレン、タンニン、没食子酸誘導体等の消炎剤、化粧品の分野においてエモリエント剤として用いられるもの等が挙げられる。
【００２３】
植物エキスの具体例としては、オーツ麦エキス、海藻（ヒバマタ）エキス、柚エキス、ハマメリス（アメリカマンサク）エキス、ワレモコウエキス、アスナロエキス、アロエエキス、オウバクエキス、スギナエキス、カミツレエキス、ユーカリエキス、モモ葉エキス等が挙げられる。高いスキンケア効果を得る観点から、柚エキス、ハマメリスエキス、アスナロエキス、アロエエキス、オウバクエキス、ユーカリエキス又はモモ葉エキスを用いることが好ましく、ハマメリスエキスを用いることがより好ましい。
【００２４】
植物エキスは、例えば、各種植物の全体又は葉、樹皮、根および枝のうちの一又は二以上の箇所を乾燥させ、又は乾燥させることなく粉砕した後、常温又は加温下に溶剤によって抽出するか、ソックスレー抽出器等の抽出器具を用いて抽出することができる。製造過程で加熱処理を行っても防爆対応を必要とせず、表面シート１２に塗布しても吸収性能の低下が抑制される観点から、植物エキスとして１，３−ブチレングリコール抽出物を用いることが好ましい。
【００２５】
通常、植物エキスは、有効成分に加え、抽出に使用した溶剤成分および水分を含んだ状態となっている。この状態での植物エキスの有効成分量（揮発溶剤成分や水分を除いた量）は、概ね０．００１〜５質量％であればよい。抽出用の溶剤成分として１，３−ブチレングリコールを用いた場合には、植物エキスの有効成分と１，３−ブチレングリコールとの総和が上記の範囲内にあればよい。植物エキスの有効成分の量は、溶剤成分の量に対して、概ね０．００１〜１０質量％であることが好ましい。
【００２６】
エモリエント剤として用いられるスキンケア剤の具体例としては、例えば、流動パラフィン、シリコーンオイル、動植物油（オリーブ油、ホオバ油、ベニバナ油、スクワラン及びスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス、Ｃ１２〜Ｃ２２脂肪酸、Ｃ１２〜Ｃ４４脂肪酸エーテル、Ｃ１２〜Ｃ２２脂肪アルコール、ワセリン、脂肪酸ソルビタンエステル（モノエステル、ジエステル、及びトリエステルのいずれでもよい。）、ポリオキシエチレン脂肪酸ソルビタンエステル（モノエステル、ジエステル、及びトリエステルのいずれでもよい。）、金属石験（ステアリン酸マグネシウム等）、ショ糖脂肪酸エステル、シクロデキストリン脂肪酸エステル、シリコーン、シリコーン系レジン、特開２００４−２５５１６４号公報又は特開２０１２−１４３５４３号公報に記載されている発明で使用されるエモリエント剤やエモリエント剤と固定化剤を含むローション組成物等が挙げられる。
上述の各種の疎水性スキンケア剤は、１種を単独で使用してもよいし、２種以上を併用してもよい。
【００２７】
上述したとおり、表面シート１２は、中央低接合領域２１及び側部高接合領域２３において他の部材と接合されている。このことに起因して、おむつ１００の着用状態において表面シート１２に擦過力が加わったり、表面シート１２が体液で湿潤したりすると、表面シート１２のうち、中央低接合領域２１に対応する部位が、該表面シート１２と接合している部材である吸収体１４から剥離する。その一方、表面シート１２のうち、側部高接合領域２３に対応する部位では、表面シート１２とその非肌対向面と接する部材との接合が維持される。その結果、表面シート１２における幅方向中央域が吸収体１４から離間して、着用者の肌へ十分に接するようになる。特に、図４に示すとおり、表面シート１２における幅方向中央域が着用者の動作に伴って臀裂や臀溝のように凹んだ部位に入り込み、肛門部や陰部といった排泄部やその周辺部と十分に接触する。その結果、表面シート１２に施されたスキンケア剤が、排泄部やその周辺部に効果的に移行するようになる。
【００２８】
臀部の凹んだ部位に表面シート１２をより容易に入り込ませる観点から、中央低接合領域２１は、一対の防漏カフ１５，１５間に位置していることが好ましい。この場合、中央低接合領域２１は、一対の防漏カフ１５，１５間のみならず、防漏カフ１５の自由端よりも幅方向Ｙの外方に延在していてもよい。
【００２９】
上記と同様の観点から、中央低接合領域２１は、着用時に着用者の尿排泄部及び便排泄部の双方に対向する位置にあることが好ましい。この場合、中央低接合領域２１は、股下部Ｃにおける排泄部対向部に位置している。
【００３０】
おむつ１００においては、表面シート１２の肌対向面にスキンケア剤が塗布されていることが有利である。スキンケア剤を肌に容易に移行させる観点から、表面シート１２は、中央低接合領域２１と重なる領域にスキンケア剤が施されていることが好ましい。この場合、スキンケア剤は、表面シート１２における中央低接合領域２１と部分的に重なる領域に施されていてもよく、表面シート１２における中央低接合領域２１の全域と重なる領域に施されていてもよい。スキンケア剤は、例えば表面シート１２の構成繊維に施されている。具体的には、繊維の表面に塗布されているか、又は繊維を構成する樹脂に練り込まれている。
【００３１】
スキンケア剤の移行性を向上させる観点から、中央低接合領域２１の面積をＳ１とし、表面シート１２においてスキンケア剤が施され、且つ中央低接合領域２１と重なる領域の面積をＳ２としたとき、Ｓ１に対するＳ２の比率であるＳ２／Ｓ１の値が好ましくは０．３以上、より好ましくは０．４以上であり、また好ましくは１．０以下、より好ましくは０．９以下であり、また好ましくは０．３以上１．０以下、より好ましくは０．４以上０．９以下である。以下、表面シート１２においてスキンケア剤が施され、且つ中央低接合領域２１と重なる領域を、「スキンケア剤領域」ともいう。
上記と同様の観点から、中央低接合領域２１の面積Ｓ１は、好ましくは３００ｃｍ２以上、より好ましくは４００ｃｍ２以上であり、また好ましくは７００ｃｍ２以下、より好ましくは６００ｃｍ２以下であり、また好ましくは３００ｃｍ２以上７００ｃｍ２以下、より好ましくは４００ｃｍ２以上６００ｃｍ２以下である。
上記と同様の観点から、スキンケア剤領域の面積Ｓ２は、好ましくは２００ｃｍ２以上、より好ましくは２５０ｃｍ２以上であり、また好ましくは７００ｃｍ２以下、より好ましくは６００ｃｍ２以下であり、また好ましくは２００ｃｍ２以上７００ｃｍ２以下、より好ましくは２５０ｃｍ２以上６００ｃｍ２以下である。
【００３２】
表面シート１２の幅方向中央域が剥離したときの、吸収性本体１０の保形性をより確実に得る観点から、中央低接合領域２１の面積をＳ１とし、側部高接合領域２３の面積をＳ３としたとき、Ｓ１に対するＳ３の比率であるＳ３／Ｓ１の値が好ましくは０．０７以上、より好ましくは０．０９以上であり、また好ましくは０．７以下、より好ましくは０．６以下であり、また好ましくは０．０７以上０．７以下、より好ましくは０．０９以上０．６以下である。
上記と同様の観点から、側部高接合領域２３の面積Ｓ３は、好ましくは５０ｃｍ２以上、より好ましくは６０ｃｍ２以上であり、また好ましくは２００ｃｍ２以下、より好ましくは１８０ｃｍ２以下であり、また好ましくは５０ｃｍ２以上２００ｃｍ２以下、より好ましくは６０ｃｍ２以上１８０ｃｍ２以下である。
【００３３】
中央低接合領域２１及び側部高接合領域２３は、後述する〔接合強度の測定方法〕によって測定される接合強度によって、その範囲を特定することができる。
中央低接合領域２１におけるスキンケア剤領域は、表面シート１２の水との接触角の変化を確認することによって特定することができる。水との接触角の測定は、例えば特開２０１５−１４２７２１号公報の記載の方法に従って行うことができる。例えば、水溶性及び水分散性を有するスキンケア剤が施されたスキンケア剤領域では、表面シートの構成繊維と水との接触角が９０度未満となり、水溶性及び水分散性を有さないスキンケア剤が施されたスキンケア剤領域では、表面シートの構成繊維と水との接触角が９０度以上となる。スキンケア剤が水溶性及び水分散性を有するか否かは以下の方法により判定される。スキンケア剤が塗布されているシートを、当該シートの質量の１０倍量の水（液温２５℃）に浸漬し、２４時間放置した後、前記スキンケア剤が完全に溶解せず、且つ分散しない場合、前記スキンケア剤は水溶性及び水分散性を有すると判定する。一方、２４時間放置した後、スキンケア剤が完全に溶解又は分散する場合、当該スキンケア剤は水溶性又は水分散性を有すると判定する。
【００３４】
排泄部と表面シート１２との接触を容易にする観点から、中央低接合領域２１及び側部高接合領域２３の寸法は以下の範囲であることが好ましい。
中央低接合領域２１は、幅方向二等分線ＣＬを中心として、表面シート１２の幅方向全長Ｗに対し、４０〜８５％の範囲であることが好ましく、４５〜８０％の範囲であることがより好ましく、５０〜７５％の範囲であることがさらに好ましい。幅方向二等分線ＣＬは、表面シート１２の幅方向Ｙの全長を二等分し、且つ長手方向Ｘに延びる線である（図３参照）。
中央低接合領域２１の長手方向Ｘの長さＬ１（図３参照）は、表面シート１２の長手方向Ｘの全長Ｌ（図３参照）に対して、好ましくは４０％以上、より好ましくは５０％以上であり、また好ましくは１００％以下、より好ましくは８０％以下であり、また好ましくは４０％以上１００％以下、より好ましくは５０％以上８０％以下である。
中央低接合領域２１の幅方向Ｙの長さＷ１（図３参照）は、好ましくは６４ｍｍ以上、より好ましくは７２ｍｍ以上であり、また好ましくは１３６ｍｍ以下、より好ましくは１２８ｍｍ以下であり、また好ましくは６４ｍｍ以上１３６ｍｍ以下、より好ましくは７２ｍｍ以上１２８ｍｍ以下である。
中央低接合領域２１の長手方向Ｘの長さＬ１（図３参照）は、好ましくは１８０ｍｍ以上、より好ましくは２２０ｍｍ以上であり、また好ましくは４５０ｍｍ以下、より好ましくは４００ｍｍ以下であり、また好ましくは１８０ｍｍ以上４５０ｍｍ以下、より好ましくは２２０ｍｍ以上４００ｍｍ以下である。
【００３５】
側部高接合領域２３の幅方向Ｙの長さＷ３（図３参照）は、表面シート１２の幅方向Ｙの全長Ｗ（図３参照）に対して、好ましくは１５％以上、より好ましくは２０％以上であり、また好ましくは６０％以下、より好ましくは５５％以下であり、また好ましくは１５％以上６０％以下、より好ましくは２０％以上５５％以下である。
側部高接合領域２３の長手方向Ｘの長さは、中央低接合領域２１の長手方向Ｘの長さＬ１の好ましい範囲内であることが好ましい。
【００３６】
表面シート１２の幅方向中央域をより容易に剥離させる観点から、中央低接合領域２１においては、後述する揉み試験評価によって、表面シート１２と、該表面シート１２に接する部材とが剥離可能になっているとともに、側部高接合領域２３においては同条件の擦過によって表面シート１２と、該表面シート１２に接する部材とが剥離不能になっていることが好ましい。
【００３７】
前記揉み試験評価は、下記のようにして行われる。
おむつにおいて、表面シートの幅方向中央域に生理食塩水を２５０ｇ注入した後、５分間静置する。次いで、花王株式会社製のメリーズ（登録商標）からファスニングテープを切り出し、該ファスニングテープの止着部を表面シートに貼り付け、その上に１ｋｇの錘を載せて１０秒静置する。次いで、ファスニングテープを表面シートから剥がし、表面シートと、該表面シートに接する部材との剥離を目視で確認する。以上の操作を５回繰り返し、前記剥離が４回以上確認された場合、表面シートと、該表面シートとは剥離可能になっていると判断する。
【００３８】
上記と同様の観点から、中央低接合領域２１と側部高接合領域２３との接合強度の差は、好ましくは０．５Ｎ／５０ｍｍ以上、より好ましくは０．７Ｎ／５０ｍｍ以上であり、また好ましくは２．３Ｎ／５０ｍｍ以下、より好ましくは２．１Ｎ／５０ｍｍ以下であり、また好ましくは０．５Ｎ／５０ｍｍ以上２．３Ｎ／５０ｍｍ以下、より好ましくは０．７Ｎ／５０ｍｍ以上２．１Ｎ／５０ｍｍ以下である。接合強度は、後述する方法により測定される。中央低接合領域２１と側部高接合領域２３の接合強度は、これら各領域２１，２３に接合強度が異なる接合手段を用いるか、または各領域２１，２３に同種の接着剤を用いて接着剤の坪量を異ならせる等の方法によって異ならせることができる。
【００３９】
〔接合強度の測定方法〕
２２℃６５％ＲＨ環境下にて、使い捨ておむつを各弾性部材の収縮によって形成されたギャザーが消失する程度まで伸長させ、平面視において表面シートと吸収体の全域とが厚み方向で重なった部分を切り出し、これを測定サンプルとする。次に、測定片におけるおむつの幅方向に沿って表面シートの剥離が進むように、引張試験機（例えば、オリエンテック社製テンシロン引張り試験機「ＲＴＡ−１００」）に測定サンプルを取り付ける。例えば、引張試験機の上部チャックに表面シートの幅方向の一方の端部を取り付け、下部チャックに吸収体を取り付ける。上部及び下部の両チャック間は１０ｍｍとする。次いで、下部チャックの位置を固定したまま、上部チャックを３００ｍｍ／ｍｉｎの速度で上昇させ、おむつの幅方向に沿って表面シートを剥離させる。この際、上部チャックの上昇、即ち引張距離に伴って変化する引張荷重を測定する。この測定により得られる引張距離−引張荷重の曲線では、引張距離の増加に伴い、第一極大点以降、相対的に高い引張荷重が継続的に示され、次いで相対的に低い引張荷重が継続的に示された後、再び相対的に高い引張荷重が継続的に示される。即ち、引張荷重が３段階で変化する。この引張距離−引張荷重の曲線において、測定を開始して最初に現れる第一極大点を始点とし、第１極大点と同程度の引張荷重が観察される範囲を第１段階とする。第１段階の後に、該第１段階に比して相対的に小さな引張荷重が観察される範囲を第２段階とする。第２段階の後に、該第２段階に比して相対的に大きな引張荷重が観察される範囲を第３段階とする。第１段階において、第一極大点を示す地点から＋１０ｍｍの範囲における引張荷重の積分平均値を、一方の側部高接合領域の接合強度とする。第２段階において、最初に現れる極大点を示す地点から＋１０ｍｍの範囲における引張荷重の積分平均値を、中央低接合領域の接合強度とする。第３段階において、最初に現れる極大点を示す地点から＋１０ｍｍの範囲における引張荷重の積分平均値を、他方の側部高接合領域の接合強度とする。接合強度は、特に断らない限り、乾燥状態の測定片を用いて測定する。後述する「乾燥時の接合強度」は、乾燥状態の測定片の接合強度であり、後述する「湿潤時の接合強度」は、湿潤状態の測定片の接合強度である。「湿潤状態」とは、水に測定サンプル全体を浸した状態のことである。
【００４０】
本実施形態においては、中央低接合領域２１及び側部高接合領域２３に、ホットメルト接着剤２０ａ，２０ｂを施すことで、中央低接合領域２１及び側部高接合領域２３の接合力を調整することができる（図２参照）。例えば、中央低接合領域２１におけるホットメルト接着剤２０ａの坪量をＢ１とし、側部高接合領域２３におけるホットメルト接着剤２０ｂの坪量をＢ２としたとき、Ｂ１に対するＢ２の比率であるＢ２／Ｂ１の値が好ましくは１．２以上、より好ましくは１．３以上であり、また好ましくは２．５以下、より好ましくは２．４以下であり、また好ましくは１．２以上２．５以下、より好ましくは１．３以上２．４以下である。こうすることで、中央低接合領域２１よりも側部高接合領域２３の接合力を高めることができる。
【００４１】
中央低接合領域２１及び側部高接合領域２３に、ホットメルト接着剤を施すことに代えて、中央低接合領域２１にホットメルト接着剤を施すとともに、側部高接合領域２３をヒートシールによって形成してもよい。
【００４２】
排泄物による湿潤時に、排泄部に表面シート１２をより接触させて、スキンケア効果をより向上させる観点から、中央低接合領域２１は、乾燥時の接合強度よりも湿潤時の接合強度が低いことが好ましい。この場合、中央低接合領域２１の乾燥時の接合強度は、好ましくは０．４Ｎ／５０ｍｍ以上、より好ましくは０．５Ｎ／５０ｍｍ以上であり、また好ましくは１．０Ｎ／５０ｍｍ以下、より好ましくは０．９Ｎ／５０ｍｍ以下であり、また好ましくは０．４Ｎ／５０ｍｍ以上１．０Ｎ／５０ｍｍ以下、より好ましくは０．５Ｎ／５０ｍｍ以上０．９Ｎ／５０ｍｍ以下である。また、中央低接合領域２１の湿潤時の接合強度は、好ましくは０．１Ｎ／５０ｍｍ以上、より好ましくは０．１５Ｎ／５０ｍｍ以上であり、また好ましくは０．５Ｎ／５０ｍｍ以下、より好ましくは０．４５Ｎ／５０ｍｍ以下であり、また好ましくは０．１Ｎ／５０ｍｍ以上０．５Ｎ／５０ｍｍ以下、より好ましくは０．１５Ｎ／５０ｍｍ以上０．４５Ｎ／５０ｍｍ以下である。
【００４３】
中央低接合領域２１の接合強度を乾燥時と湿潤時とで異ならせる場合、例えば、乾燥時と湿潤時とで接合強度が変化する種類の接着剤を用いることができる。このような接着剤としては、上述した範囲の接合強度となる接着剤を適宜用いることができる。
【００４４】
スキンケア剤を肌により容易に移行させる観点から、中央低接合領域２１における単位面積当たりのスキンケア剤の質量は、好ましくは０．００００１ｇ／ｍ２以上、より好ましくは０．００００５ｇ／ｍ２以上、更に好ましくは０．０００１ｇ／ｍ２以上であり、また好ましくは０．０５ｇ／ｍ２以下、より好ましくは０．０１ｇ／ｍ２以下、更に好ましくは０．００５ｇ／ｍ２以下であり、また好ましくは０．００００１ｇ／ｍ２以上０．０５ｇ／ｍ２以下、より好ましくは０．００００５ｇ／ｍ２以上０．０１ｇ／ｍ２以下、更に好ましくは０．０００１ｇ／ｍ２以上０．００５ｇ／ｍ２以下である。単位面積当たりのスキンケア剤の質量は以下の方法により求めることができる。
【００４５】
〔単位面積当たりのスキンケア剤の質量の測定方法〕
表面シートにおける、前述した〔接合強度の測定方法〕を用いて特定された中央低接合領域と重なる部分から３００ｍｍ２以上の測定片を切り出す。一箇所の切り出し面積が３００ｍｍ２に満たない場合には、複数箇所から測定片を切り出し、その合計面積が３００ｍｍ２以上となるようにする。次いで、測定片に対し、非極性溶媒から極性溶媒までの多段階溶媒抽出法を行い、測定片に存在するスキンケア剤を分離し、単一の組成物を含んだ溶液を得る。得られた溶液を乾燥・固化させ、１Ｈ−ＮＭＲ（核磁気共鳴法）、ＩＲ（赤外分光法）、ＬＣ（液体クロマトグラフィ）、ＧＣ（ガスクロマトグラフィ）、ＭＳ（質量分析法）、ＧＰＣ（ゲルパーミエーションクロマトグラフィ）、蛍光Ｘ線などを複合して、スキンケア剤の化学構造を同定する。また、特定した化学構造を有する剤を標準物質として、ＧＣ、ＬＣなどの周知の分析手段によって検量線を作成し、測定片中のスキンケア剤を定量する。この定量結果に基づいて、単位面積当たり（１ｍｍ２）のスキンケア剤の質量を求める。測定片に、スキンケア剤が複数種類存在する場合、個々のスキンケア剤の質量の合計を求めた上で、単位面積当たり（１ｍｍ２）のスキンケア剤の質量の合計を、単位面積当たりのスキンケア剤の質量とする。
【００４６】
表面シート１２は、単層構造を有するものであってもよく、２層以上の繊維層が積層した積層構造を有するものであってもよい。表面シート１２が積層構造を有する場合、該積層構造における各繊維層は、着用者の肌から最も近い位置に配される肌側繊維層と、該肌側繊維層に比して着用者の肌から遠い位置に配される非肌側繊維層とから構成される。表面シート１２が３層以上の繊維層が積層した積層構造を有する場合、該表面シート１２は、肌対向面を形成する１層の肌側繊維層と、２層以上の非肌側繊維層とを有する。
スキンケア剤の肌への移行性を向上させる観点から、スキンケア剤は表面シート１２の肌対向面側に施されていることが好ましく、表面シート１２が積層構造を有する場合、スキンケア剤は、肌側繊維層に施されていることが好ましい。
【００４７】
表面シート１２が積層構造を有する場合、肌側繊維層は、非肌側繊維層よりも繊維密度が高く、且つスキンケア剤が施されていることが好ましい。斯かる構成により、毛管力によりスキンケア剤を肌側繊維層に留め易くして、スキンケア剤の肌への移行性を向上させることができる。このような効果をより確実に奏させる観点から、肌側及び非肌側繊維の繊維密度は、以下の範囲であることが好ましい。肌側繊維の繊維密度は、非肌側繊維の繊維密度に対して、好ましくは１．２５倍以上、より好ましくは１．５倍以上であり、また好ましくは８．０倍以下、より好ましくは７．０倍以下であり、また好ましくは１．２５倍以上８．０倍以下、より好ましくは１．５倍以上７．０倍以下である。肌側繊維の繊維密度は、好ましくは２５０本／ｍｍ2以上、より好ましくは２７０本／ｍｍ2以上であり、また好ましくは４００本／ｍｍ2以下、より好ましくは３８０本／ｍｍ2以下であり、また好ましくは２５０本／ｍｍ2以上４００本／ｍｍ2以下、より好ましくは２７０本／ｍｍ2以上３８０本／ｍｍ2以下である。非肌側繊維の繊維密度は、好ましくは５０本／ｍｍ2以上、より好ましくは７０本／ｍｍ2以上であり、また好ましくは２００本／ｍｍ2以下、より好ましくは１８０本／ｍｍ2以下であり、また好ましくは５０本／ｍｍ2以上２００本／ｍｍ2以下、より好ましくは７０本／ｍｍ2以上１８０本／ｍｍ2以下である。各繊維層の繊維密度は以下の方法により求めることができる。
【００４８】
〔繊維密度の測定方法〕
表面シート２の切断面を、走査電子顕微鏡を用いて拡大観察（繊維断面が３０〜６０本程度計測できる倍率（１５０〜５００倍）に調整する。前記切断面の観察視野において、一定視野面積（０．０２ｍｍ２）当たりの繊維の占める面積を画像解析によって測定する。具体的には、得られた画像をＩｍａｇｅＪなどの画像処理ソフトウェアを用いて、繊維と繊維が存在しない部分との明度境界に閾値を設定し、明度を二値化する。一般的に、白色と黒色とで二値化した場合、繊維は白色となり、繊維が存在しない部分は黒色となるため、測定対象（表面シート）の厚み方向において、白色部分が最も多い領域を肌側繊維層と識別することができ、該肌側繊維層よりも黒色部分が多い領域を非肌側繊維層と識別することができる。次に、一定面積当たり（０．０２ｍｍ2程度）の切断されている繊維の断面数を数え、これを１ｍｍ2当たりの繊維の断面数（本／ｍｍ2）に換算する。この測定を表面シートにおける任意の３箇所で行い、これらの平均値を繊維密度とする。走査電子顕微鏡としては、例えば日本電子（株）社製のＪＣＭ−５１００（商品名）を用いることができる。
【００４９】
表面シート１２が積層構造を有する場合、肌側繊維層は、非肌側繊維層よりも構成繊維の繊度が小さいことが好ましい。斯かる構成では、非肌側繊維層の構成繊維の繊度が相対的に大きいので、表面シート１２の非肌対向面と該表面シート１２と接合する部材との接合面積が小さくなり、中央低接合領域２１において表面シート１２をより剥離し易い。また、肌側繊維層の構成繊維の繊度が相対的に小さいので、剥離した表面シート１２が着用者の排泄部に入り込んだ際に肌を痛め難い。このような効果をより確実に奏させる観点から、肌側及び非肌側繊維における構成繊維の繊度は、以下の範囲であることが好ましい。肌側繊維層の構成繊維の繊度は、好ましくは１．０ｄｔｅｘ以上、より好ましくは１．３ｄｔｅｘ以上であり、また好ましくは３．０ｄｔｅｘ以下、より好ましくは２．５ｄｔｅｘ以下であり、また好ましくは１．０ｄｔｅｘ以上３．０ｄｔｅｘ以下、より好ましくは１．３ｄｔｅｘ以上２．５ｄｔｅｘ以下である。非肌側繊維層の構成繊維の繊度は、好ましくは３．３ｄｔｅｘ以上、より好ましくは４．０ｄｔｅｘ以上であり、また好ましくは１０．０ｄｔｅｘ以下、より好ましくは７．０ｄｔｅｘ以下であり、また好ましくは３．３ｄｔｅｘ以上１０．０ｄｔｅｘ以下、より好ましくは４．０ｄｔｅｘ以上７．０ｄｔｅｘ以下である。表面シート１２が非肌側繊維層を複数有する場合、各非肌側繊維層の構成繊維の繊度が前記の範囲であることが好ましい。繊維の繊度は以下のようにして測定する。
【００５０】
〔繊維の繊度の測定方法〕
表面シートを５０ｍｍ×１００ｍｍ（面積５０００ｍｍ２）の長方形状に切り出して測定用サンプルを作製する。次いで、測定用サンプルを断面視して、測定用サンプルの肌対向面から厚さ方向に０．２ｍｍ間隔を空けた位置での標準的な繊維１０本を対象として繊維太さを、電子顕微鏡を用いて実測し、繊維太さ平均値Ｄｎ（μｍ）を算出する。次いで、肌対向面から厚さ方向に０．２ｍｍ間隔を空けた位置での標準的な繊維の構成樹脂を特定し、示差走査熱量測定器（ＤＳＣ）を用いて、理論繊維存在密度Ｐｎ（ｇ／ｃｍ３）を求める。得られた繊維太さ平均値Ｄｎ（μｍ）及び理論繊維存在密度Ｐｎ（ｇ／ｃｍ３）から、繊維長さ１０，０００ｍ当たりの重さ（ｇ）を算出して、この算出された値を肌側繊維層の構成繊維の繊度（ｄｔｅｘ）とする。非肌側繊維層の構成繊維の繊度に関しては、測定用サンプルを断面視して、測定用サンプルの非肌対向面から厚さ方向に０．２ｍｍ間隔を空けた位置での標準的な繊維１０本を対象として、肌側繊維層の構成繊維の繊度と同様にして測定する。
【００５１】
肌側及び非肌側繊維層の繊維密度や、構成繊維の繊度が相異なる表面シート１２は、各繊維層の構成繊維の太さや繊維樹脂材料等を適宜選択することにより製造することができる。また、各繊維層を形成する工程において、肌側繊維層となるウエブを加熱圧縮することにより、繊維密度が相対的に高い肌側繊維を有する表面シートを製造することができる。
【００５２】
表面シート１２の表面形状としては、当該技術分野において知られている種々のものを特に制限無く採用することができる。例えば、表面シート１２は、肌対向面及び非肌対向面の両面が平坦であってもよいが、肌対向面及び非肌対向面の何れか一方又は双方が凹凸形状を有することが好ましい。表面シートの非肌対向面側に凹凸形状を有する場合、中央低接合領域２１における表面シート１２と該表面シート１２と接合する部材との接合面積が小さくなるので、表面シート１２をより容易に剥離することができる。また、表面シートの肌対向面側に凹凸形状を有する場合、剥離した表面シート１２と排泄部との接触面積が小さくなるので、該表面シート１２が着用者の排泄部に入り込んだ際に肌を痛め難い。前記凹凸形状を有する表面シートとしては、表面シートの肌対向面側及び非肌対向面側の何れか一方又は双方において、散点状に複数の凸部が形成されたものや、一方向に延びる凸条部と溝部とが交互に形成されたものが含まれる。前記凸部及び前記凸条部は、内部が中空であってもよく、内部が中実であってもよい。前記凹凸形状を有する表面シートは、例えば特開２０１５−１１２３４３号公報や特開２０１６−１１７９７７号公報に記載の製造方法により製造することができる。
【００５３】
吸収体１４から剥離した表面シート１２が着用者の排泄部に入り込んだ際に違和感を生じさせないようにする観点から、表面シート１２のＭＤバルクソフトネスは、好ましくは７．０ｃＮ以下、より好ましくは６．５ｃＮ以下、さらに好ましくは６．０ｃＮ以下である。前記ＭＤバルクソフトネスの下限値としては、０に近ければ近いほど好ましいが、おむつ製造時に安定に生産できる観点から、好ましくは０．５ｃＮ以上である。ＭＤバルクソフトネスは、以下の測定法により測定する。
【００５４】
〔ＭＤバルクソフトネスの測定方法〕
ＭＤバルクソフトネスは、２２℃６５％ＲＨ環境下にて、表面シートから、その構成繊維の配向方向に沿うＣＤ方向に１５０ｍｍ、ＣＤ方向に直交するＭＤ方向に３０ｍｍ切り出し、これを測定片とする。この測定片を、直径４５ｍｍのリング状になるように、ホッチキスを用いて端部を上下２箇所で止める。このときステープラーの芯はＣＤ方向に長くなるようにする。次いで、引張試験機（例えば、オリエンテック社製テンシロン引張り試験機「ＲＴＡ−１００」）を用いて、試料台の上に前記リング状の測定片を筒状に立て、上方から台とほぼ平行な平板にて圧縮速度１０ｍｍ／分の速度で圧縮していった際の最大荷重を測定する。この測定を、表面シートから切り出した任意の３箇所について行い、これらの平均値をＭＤバルクソフトネスとする。
【００５５】
次に、本発明の吸収性物品の他の実施形態について図面を参照しながら説明する。他の実施形態については、矛盾しない限り、上述した実施形態の説明が適宜適用される。図５〜７中には、上述した実施形態と同様の構成について、当該実施形態と同一の符号を付してある。また、図６に示すおむつ１００ａでは、説明容易の観点から、吸収性コア１４ａを被覆するコアラップシートの図示を省略している。
【００５６】
図５及び図６に示す実施形態では、吸収体１４における吸収性コア１４ａが、その長手方向に延びる折曲誘導部３０を有しており、該折曲誘導部３０は、平面視において中央低接合領域２１と重なる位置にある（図５参照）。折曲誘導部３０は、吸収性コア１４ａの幅方向Ｙに沿う断面視において、該吸収性コア１４ａを肌対向面側又は非肌対向面側に屈曲させ得る屈曲点となる部分である。本実施形態において吸収性コア１４ａは、折曲誘導部３０として、吸収性コア１４ａの幅方向中央域に位置する中央折曲誘導部３１と、該中央折曲誘導部３１の幅方向Ｙの両側に位置する一対の側部折曲誘導部３３とを有している。前記中央折曲誘導部３１は、中央低接合領域２１と重なる位置にある。本実施形態のように、吸収性コアが折曲誘導部３０を複数有する場合、複数あるうちの少なくとも１つの折曲誘導部３０が中央低接合領域２１と重なる位置にあればよく、中央折曲誘導部３１が中央低接合領域２１と重なる位置にあることが好ましい。
【００５７】
本実施形態の吸収性コア１４ａは、前記の折曲誘導部３１，３３を有することにより、前記断面視において、中央折曲誘導部３１が山部、一対の側部折曲誘導部３３，３３が谷部となるように、Ｗ字状に屈曲する（図６参照）。これにより、表面シート１２は、山部となった中央折曲誘導部３１と重なる部分が容易に剥離する上、該中央折曲誘導部３１と重なる部分が、臀裂や臀溝のように凹んだ部位に密着し易くなるので、表面シート１２と、排泄部及びその周辺部とのフィット性が向上する。特に、山部となる中央折曲誘導部３１と中央低接合領域２１とが重なっていることで、前記の密着性及びフィット性を高めることができる。また、吸収性コア１４ａが中央折曲誘導部３１のみを有する場合でも、中央折曲誘導部３１が山部となるように該吸収性コアが屈曲するので、前記のフィット性が向上する。
【００５８】
前記の効果をより確実に奏させる観点から、各折曲誘導部３１，３３の配置及び寸法は以下の範囲内であることが好ましい。
吸収性コア１４ａが側部折曲誘導部３３を有する場合、各側部折曲誘導部３３と中央折曲誘導部３１との離間距離Ｗ１２（図５参照）は、それぞれ同じであることが好ましい。即ち、各側部折曲誘導部３３は、吸収性コア１４ａの幅方向二等分線ＣＬ１に対して対称の位置に形成されていることが好ましい。
各折曲誘導部３１，３３の長手方向Ｘの長さＬ１１，１３（図５参照）は、好ましくは５０ｍｍ以上、より好ましくは１００ｍｍ以上であり、また好ましくは３５０ｍｍ以下、より好ましくは３００ｍｍ以下であり、また好ましくは５０ｍｍ以上３５０ｍｍ以下、より好ましくは１００ｍｍ以上３００ｍｍ以下である。
各折曲誘導部３１，３３の幅、即ち幅方向Ｙの長さは、好ましくは２０ｍｍ以下、より好ましくは１５ｍｍ以下である。下限値としては、０に近ければ近いほど好ましいが、吸収性コアを屈曲させる観点から、好ましくは１ｍｍ以上、より好ましくは３ｍｍ以上である。各折曲誘導部３１，３３の幅は、同じであってもよく、それぞれ異なっていてもよい。
【００５９】
折曲誘導部３０は、吸収性コア１４ａの形成材料が欠落して、その部分が空間になっている非積繊部、該形成材料の坪量が周囲に比して低い低積繊部、または該形成材料が圧密化されている圧密化部であることができる。非積繊部は、吸収性コア１４ａを貫通する貫通孔であってもよく、スリットであってもよい。スリットとは、比較的に幅が狭い形状の貫通孔である。圧密化部は、通常、周囲に比して厚みが小さい凹部となっている。低積繊部は、前記形成材料の坪量が５０ｇ／ｍ2以下である部分を意味するが、該低積繊部は凹部となっていてもよく、凹部となっていなくともよい。
【００６０】
図７に示す実施形態では、吸収体１４における吸収性コア１４ｂが、高坪量領域４１と該高坪量領域４１よりも相対的に坪量が低い低坪量領域４３とを有している。低坪量領域４３は、背側部Ｂに形成されており（不図示）、且つ平面視において中央低接合領域２１と重なる位置にある。斯かる構成により、吸収性コア１４ｂの低坪量領域４３における部分が、臀部の形状に沿って容易に変形するので、剥離した表面シート１２と該臀部とのフィット性が向上し、排泄部及びその周辺部にスキンケア剤をより移行させることができる。
【００６１】
前記の効果をより確実に奏させる観点から、高坪量領域４１及び低坪量領域４３の寸法や坪量は以下の範囲内であることが好ましい。
高坪量領域４１の長手方向Ｘの長さＬ１５（図７参照）は、吸収性コア１４ｂの長手方向Ｘの全長Ｌ４に対して、好ましくは５０％以上、より好ましくは６０％以上、さらに好ましくは７０％以上であり、また好ましくは９０％以下、より好ましくは８５％以下、さらに好ましくは８０％以下であり、また好ましくは５０％以上９０％以下、より好ましくは６０％以上８５％以下、さらに好ましくは７０％以上８０％以下である。
低坪量領域４３の長手方向Ｘの長さＬ１６は、吸収性コア１４ｂの長手方向Ｘの全長Ｌ４に対して、好ましくは１０％以上５０％以下、より好ましくは１５％以上４０％以下、さらに好ましくは２０％以上３０％以下である。
【００６２】
高坪量領域４１の坪量は、低坪量領域４３の坪量に対して好ましくは１２０％以上、より好ましくは１４０％以上であり、また好ましくは２５０％以下、より好ましくは２３０％以下であり、また好ましくは１２０％以上２５０％以下、より好ましくは１４０％以上２３０％以下である。
低坪量領域４３の坪量は、好ましくは１００ｇ／ｍ２以上、より好ましくは１５０ｇ／ｍ２以上、さらに好ましくは２００ｇ／ｍ２以上であり、また好ましくは６００ｇ／ｍ２以下、より好ましくは５５０ｇ／ｍ２以下、さらに好ましくは５００ｇ／ｍ２以下であり、また好ましくは１００ｇ／ｍ２以上６００ｇ／ｍ２以下、より好ましくは１５０ｇ／ｍ２以上５５０ｇ／ｍ２以下、さらに好ましくは２００ｇ／ｍ２以上５００ｇ／ｍ２以下である。一方、高坪量領域４１の坪量は、低坪量領域４３の坪量より高いことを条件として、好ましくは１５０ｇ／ｍ２以上９００ｇ／ｍ２以下、より好ましくは２００ｇ／ｍ２以上８５０ｇ／ｍ２以下、さらに好ましくは２５０ｇ／ｍ２以上８００ｇ／ｍ２以下である。
【００６３】
次に、本発明の吸収性物品の好適な製造方法を説明する。前述したように表面シート１２にはスキンケア剤が施されているところ、表面シート１２にスキンケア剤を施す方法として、例えば、スキンケア剤を塗工装置（アプリケーター）のタンク内に投入し、必要に応じて加熱してその流動性を高めてから、該表面シートに塗工する方法が挙げられる。この際、表面シート１２の肌対向面、あるいは表面シート１２が積層構造を有する場合は肌側繊維層の肌対向面にスキンケア剤を塗工する。スキンケア剤の塗工方法としては、例えば、ダイコーター、ブレードコーター、エアーナイフコーター、ロールコーター、バーコーター、グラビアコーター、ロッドブレードコーター、リップコーター、カーテンコーター、スライドビード等を用いることができる。
【００６４】
スキンケア剤を容易に付与する観点から、スキンケア剤の粘度は、下記方法により測定される粘度が１ｍＰａ・ｓ以上５０００ｍＰａ・ｓ以下であることが好ましい。
【００６５】
＜粘度の測定＞
音叉型振動式粘度計（本実施形態では代表的にＶＩＢＲＯ  ＮＩＳＣＯＭＥＴＥＲＣＪＶ５０００（株式会社エー・アンド・デイ社製）を使用）を用いて、表面シートに塗工する際のスキンケア剤の状態で粘度を測定する。具体的には、温度３６℃下で、スキンケア剤の粘度の測定を行う。スキンケア剤を所定温度に加熱して塗工する場合、該所定温度のまま測定を実施する。測定は３回繰り返し、その平均値を粘度として採用する。
【００６６】
前述したように、表面シート１２と、該表面シート１２と接する部材との接合には、公知の接合手段を用いることができる。この接合に接着剤を用いる場合、接着剤は、表面シート１２の非肌対向面に塗工される。接着剤は、非塗工部分が存在しないように塗工する、いわゆるベタ塗りで塗工されていてもよく、非塗工部分が存在するように塗工された塗工パターンで塗工されていてもよい。前記塗工パターンとして、スパイラル状、サミット状、オメガ状、カーテン状、ストライプ状等が挙げられる。接着剤の塗工方法としては、前述したスキンケア剤の塗工方法と同様の方法を採用することができる。
【００６７】
以上、本発明をその好ましい実施形態に基づき説明したが、本発明は上述した実施形態を組み合わせてもよい。例えば、おむつ１００が、図５及び図６に示す実施形態における折曲誘導部３０と、図７に示す実施形態における高坪量領域４１及び低坪量領域４３とを有する吸収性コアを備えていてもよい。
【００６８】
また、本発明は上述した実施形態に制限されず適宜変更可能である。例えば、図１ないし図４に示す実施形態では、中央低接合領域２１及び側部高接合領域２３において、表面シート１２と該表面シート１２の非肌対向面と接する吸収体１４とが接合されていたが、表面シート１２は吸収体１４以外の部材と接合されていてもよい。例えば、表面シート１２と吸収体１４との間に不織布等によって構成されたサブレイヤーシートを配置した場合には、表面シート１２とサブレイヤーシートとが接合されていてもよい。
【００６９】
また、上述の各実施形態は、本発明の吸収性物品をパンツ型使い捨ておむつに適用した例であったが、本発明はこれに制限されず、展開型の使い捨ておむつに本発明を適用してもよい。また、本発明を使い捨ておむつ以外の吸収性物品、例えば生理用ナプキンや失禁パッド等に適用してもよい。
【００７０】
上述した実施形態に関し、本発明は更に以下の吸収性物品を開示する。
＜１＞
表面シートが、その非肌対向面において、該非肌対向面に接する部材と接合されており、
前記表面シートの非肌対向面のうち、該非肌対向面に接する部材と接合されている領域は、該表面シートの幅方向中央域に位置し且つ接合力が相対的に低い中央低接合領域と、該表面シートの幅方向側部域に位置するとともに該中央低接合領域に隣接し且つ接合力が相対的に高い一対の側部高接合領域とを有し、
前記表面シートにスキンケア剤が施されている、吸収性物品。
【００７１】
＜２＞
前記スキンケア剤が、植物エキスである、前記＜１＞に記載の吸収性物品。
＜３＞
前記スキンケア剤が、ハマメリスエキスである、前記＜２＞に記載の吸収性物品。
＜４＞
前記スキンケア剤は、前記表面シートの構成繊維に施されている、前記＜１＞〜＜３＞の何れか１に記載の吸収性物品。
＜５＞
前記表面シートの肌対向面における長手方向に沿う両側に一対の防漏カフを有し、該一対の防漏カフ間に前記中央低接合領域が位置している、前記＜１＞〜＜４＞の何れか１に記載の吸収性物品。
＜６＞
前記中央低接合領域は、着用時に着用者の尿排泄部及び便排泄部の双方に対向する位置にある、前記＜１＞〜＜５＞の何れか１に記載の吸収性物品。
＜７＞
前記表面シートは、前記中央低接合領域と重なる領域に前記スキンケア剤が施されている、前記＜１＞〜＜６＞の何れか１に記載の吸収性物品。
＜８＞
前記スキンケア剤は、前記表面シートにおける前記中央低接合領域と部分的に重なる領域に施されている、前記＜１＞〜＜７＞の何れか１に記載の吸収性物品。
＜９＞
前記中央低接合領域の面積をＳ１とし、前記表面シートにおいて前記スキンケア剤が施され、且つ前記中央低接合領域と重なる領域の面積をＳ２としたとき、Ｓ１に対するＳ２の比率であるＳ２／Ｓ１の値が０．３以上、好ましくは０．４以上であり、また１．０以下、好ましくは０．９以下である、前記＜１＞〜＜８＞の何れか１に記載の吸収性物品。
＜１０＞
前記中央低接合領域の面積Ｓ１は、３００ｃｍ２以上、好ましくは４００ｃｍ２以上であり、また７００ｃｍ２以下、好ましくは６００ｃｍ２以下である、前記＜９＞に記載の吸収性物品。
【００７２】
＜１１＞
前記表面シートにおいて前記スキンケア剤が施され、且つ前記中央低接合領域と重なる領域の面積Ｓ２は、２００ｃｍ２以上、好ましくは２５０ｃｍ２以上であり、また７００ｃｍ２以下、好ましくは６００ｃｍ２以下である、前記＜９＞又は＜１０＞に記載の吸収性物品。
＜１２＞
前記中央低接合領域の面積をＳ１とし、前記側部高接合領域の面積をＳ３としたとき、Ｓ１に対するＳ３の比率であるＳ３／Ｓ１の値が０．０７以上、好ましくは０．０９以上であり、また０．７以下、好ましくは０．６以下である、前記＜１＞〜＜１１＞の何れか１に記載の吸収性物品。
＜１３＞
前記側部高接合領域の面積Ｓ３は、好ましくは５０ｃｍ２以上、より好ましくは６０ｃｍ２以上であり、また好ましくは２００ｃｍ２以下、より好ましくは１８０ｃｍ２以下である、前記＜１２＞に記載の吸収性物品。
＜１４＞
前記中央低接合領域は、前記表面シートの幅方向の全長を二等分し、且つ長手方向に延びる幅方向二等分線を中心として、前記表面シートの幅方向全長Ｗに対し、４０〜８５％の範囲、好ましくは４５〜８０％の範囲、より好ましくは５０〜７５％の範囲である、前記＜１＞〜＜１３＞の何れか１に記載の吸収性物品。
＜１５＞
前記中央低接合領域の長手方向の長さＬ１は、前記表面シートの長手方向の全長Ｌに対して、４０％以上、好ましくは５０％以上であり、また１００％以下、好ましくは８０％以下である、前記＜１＞〜＜１４＞の何れか１に記載の吸収性物品。
＜１６＞
前記中央低接合領域の長手方向の長さＬ１は、１８０ｍｍ以上、好ましくは２２０ｍｍ以上であり、また４５０ｍｍ以下、好ましくは４００ｍｍ以下である、前記＜１５＞に記載の吸収性物品。
＜１７＞
前記中央低接合領域の幅方向の長さＷ１は、６４ｍｍ以上、好ましくは７２ｍｍ以上であり、また１３６ｍｍ以下、好ましくは１２８ｍｍ以下である、前記＜１＞〜＜１６＞の何れか１に記載の吸収性物品。
＜１８＞
前記側部高接合領域の幅方向の長さＷ３は、前記表面シートの幅方向の全長Ｗに対して１５％以上、好ましくは２０％以上であり、また６０％以下、好ましくは５５％以下である、前記＜１＞〜＜１７＞の何れか１に記載の吸収性物品。
＜１９＞
前記中央低接合領域においては、揉み試験評価によって、前記表面シートと、該表面シートに接する部材とが剥離可能になっているとともに、前記側部高接合領域においては同条件の擦過によって前記表面シートと、該表面シートに接する部材とが剥離不能になっている、前記＜１＞〜＜１８＞の何れか１に記載の吸収性物品。
＜２０＞
前記中央低接合領域と前記側部高接合領域との乾燥時の接合強度の差が０．５Ｎ／５０ｍｍ以上である、前記＜１＞〜＜１９＞の何れか１に記載の吸収性物品。
【００７３】
＜２１＞
前記中央低接合領域と前記側部高接合領域との乾燥時の接合強度の差は、０．５Ｎ／５０ｍｍ以上、好ましくは０．７Ｎ／５０ｍｍ以上であり、また２．３Ｎ／５０ｍｍ以下、好ましくは２．１Ｎ／５０ｍｍ以下である、前記＜２０＞に記載の吸収性物品。
＜２２＞
前記中央低接合領域及び前記側部高接合領域には、ホットメルト接着剤が施されており、
前記中央低接合領域におけるホットメルト接着剤の坪量をＢ１とし、前記側部高接合領域におけるホットメルト接着剤の坪量をＢ２としたとき、Ｂ１に対するＢ２の比率であるＢ２／Ｂ１の値が１．２以上である、前記＜１＞〜＜２１＞の何れか１に記載の吸収性物品。
＜２３＞
前記中央低接合領域におけるホットメルト接着剤の坪量をＢ１とし、前記側部高接合領域におけるホットメルト接着剤の坪量をＢ２としたとき、Ｂ１に対するＢ２の比率であるＢ２／Ｂ１の値が好ましくは１．２以上、より好ましくは１．３以上であり、また好ましくは２．５以下、より好ましくは２．４以下である、前記＜２２＞に記載の吸収性物品。
＜２４＞
前記中央低接合領域にはホットメルト接着剤が施され、前記側部高接合領域にはヒートシールが施されている、前記＜１＞〜＜２３＞の何れか１に記載の吸収性物品。
＜２５＞
前記中央低接合領域の乾燥時の接合強度が、１．０Ｎ／５０ｍｍ以下である、前記＜１＞〜＜２４＞の何れか１に記載の吸収性物品。
＜２６＞
前記中央低接合領域の乾燥時の接合強度は、好ましくは０．４Ｎ／５０ｍｍ以上、より好ましくは０．５Ｎ／５０ｍｍ以上であり、また好ましくは１．０Ｎ／５０ｍｍ以下、より好ましくは０．９Ｎ／５０ｍｍ以下である、前記＜２５＞に記載の吸収性物品。
＜２７＞
前記中央低接合領域の湿潤時の接合強度が、０．５Ｎ／５０ｍｍ以下である、前記＜１＞〜＜２６＞の何れか１に記載の吸収性物品。
＜２８＞
前記中央低接合領域の湿潤時の接合強度は、好ましくは０．１Ｎ／５０ｍｍ以上、より好ましくは０．１５Ｎ／５０ｍｍ以上であり、また好ましくは０．５Ｎ／５０ｍｍ以下、より好ましくは０．４５Ｎ／５０ｍｍ以下である、前記＜２７＞に記載の吸収性物品。
＜２９＞
前記中央低接合領域における単位面積当たりの前記スキンケア剤の質量は、０．００００１ｇ／ｍ２以上、好ましくは０．００００５ｇ／ｍ２以上、より好ましくは０．０００１ｇ／ｍ２以上であり、また０．０５ｇ／ｍ２以下、好ましくは０．０１ｇ／ｍ２以下、より好ましくは０．００５ｇ／ｍ２以下である、前記＜１＞〜＜２８＞の何れか１に記載の吸収性物品。
＜３０＞
前記表面シートが２層以上の繊維層からなり、着用者の肌から最も近い位置に配される肌側繊維層と、該肌側繊維層に比して着用者の肌から遠い位置に配される非肌側繊維層とを有し、
前記スキンケア剤が、肌側繊維層に施されている、前記＜１＞〜＜２９＞の何れか１に記載の吸収性物品。
【００７４】
＜３１＞
前記肌側繊維層は、前記非肌側繊維層よりも繊維密度が高く、且つ前記スキンケア剤が施されている、前記＜３０＞に記載の吸収性物品。
＜３２＞
前記肌側繊維の繊維密度は、前記非肌側繊維の繊維密度に対して１．２５倍以上、好ましくは１．５倍以上であり、また８．０倍以下、好ましくは７．０倍以下である、前記＜３０＞又は＜３１＞に記載の吸収性物品。
＜３３＞
前記肌側繊維の繊維密度は、２５０本／ｍｍ２以上、好ましくは２７０本／ｍｍ２以上であり、また４００本／ｍｍ２以下、好ましくは３８０本／ｍｍ２以下である、前記＜３０＞〜、前記＜３２＞の何れか１に記載の吸収性物品。
＜３４＞
前記肌側繊維層は、前記非肌側繊維層よりも構成繊維の繊度が小さい、前記＜３０＞〜、前記＜３３＞の何れか１に記載の吸収性物品。
＜３５＞
前記肌側繊維層の構成繊維の繊度は、１．０ｄｔｅｘ以上、好ましくは１．３ｄｔｅｘ以上であり、また３．０ｄｔｅｘ以下、好ましくは２．５ｄｔｅｘ以下である、前記＜３０＞〜、前記＜３４＞の何れか１に記載の吸収性物品。
＜３６＞
前記表面シートのＭＤバルクソフトネスは、７．０ｃＮ以下、好ましくは６．５ｃＮ以下、より好ましくは６．０ｃＮ以下であり、０．５ｃＮ以上である、前記＜１＞〜＜３５＞の何れか１に記載の吸収性物品。
＜３７＞
吸収性コアを更に含み、該吸収性コアは、その長手方向に延びる折曲誘導部を有しており、
前記折曲誘導部は、平面視において前記中央低接合領域と重なる位置にある、前記＜１＞〜＜３６＞の何れか１に記載の吸収性物品。
＜３８＞
前記吸収性コアは、前記折曲誘導部として、幅方向中央域に位置する中央折曲誘導部と、該中央折曲誘導部の幅方向両側に位置する一対の側部折曲誘導部とを有しており、
前記中央折曲誘導部と前記中央低接合領域とが重なっており、
前記吸収性コアの幅方向に沿う断面視において、該吸収性コアが、前記中央折曲誘導部が山部、一対の前記側部折曲誘導部が谷部となるように、Ｗ字状に屈曲する、前記＜３７＞に記載の吸収性物品。
＜３９＞
一方の前記側部折曲誘導部と前記中央折曲誘導部との離間距離、及び他方の前記側部折曲誘導部と前記中央折曲誘導部との離間距離が同じである、前記＜３７＞又は＜３８＞に記載の吸収性物品。
＜４０＞
前記側部折曲誘導部は、前記吸収性コアの幅方向の全長を二等分する幅方向二等分線に対して対称の位置に形成されている、前記＜３７＞又は＜３８＞に記載の吸収性物品。
【００７５】
＜４１＞
前記折曲誘導部の長手方向の長さが、５０ｍｍ以上、好ましくは１００ｍｍ以上であり、また３５０ｍｍ以下、好ましくは３００ｍｍ以下であり、また５０ｍｍ以上３５０ｍｍ以下、好ましくは１００ｍｍ以上３００ｍｍ以下である、前記＜３７＞〜＜４０＞の何れか１に記載の吸収性物品。
＜４２＞
前記折曲誘導部の幅が、２０ｍｍ以下、好ましくは１５ｍｍ以下であり、また１ｍｍ以上、好ましくは３ｍｍ以上である、前記＜３７＞〜＜４１＞の何れか１に記載の吸収性物品。
＜４３＞
吸収性コアを更に含み、着用者の排泄部及び着用者の腹側に配される腹側部、股間部に配される股下部及び背側に配される背側部を有しており、
前記吸収性コアは、高坪量領域と、該高坪量領域よりも相対的に坪量が低い低坪量領域とを有しており、
前記低坪量領域は、前記背側部に形成されており、且つ平面視において前記中央低接合領域と重なる位置にある、前記＜１＞〜＜４２＞の何れか１に記載の吸収性物品。
＜４４＞
前記高坪量領域の長手方向の長さは、吸収性コアの長手方向の全長Ｌ４に対して、５０％以上、好ましくは６０％以上、より好ましくは７０％以上であり、また９０％以下、好ましくは８５％以下、より好ましくは８０％以下であり、また５０％以上９０％以下、好ましくは６０％以上８５％以下、より好ましくは７０％以上８０％以下である、前記＜４３＞に記載の吸収性物品。
＜４５＞
前記低坪量領域の長手方向の長さＬ１６は、前記吸収性コアの長手方向の全長Ｌ４に対して、１０％以上５０％以下、好ましくは１５％以上４０％以下、より好ましくは２０％以上３０％以下である、前記＜４３＞又は＜４４＞に記載の吸収性物品。
＜４６＞
前記高坪量領域の坪量は、前記低坪量領域の坪量に対して１２０％以上、好ましくは１４０％以上であり、また２５０％以下、好ましくは２３０％以下であり、また１２０％以上２５０％以下、好ましくは１４０％以上２３０％以下である、前記＜４３＞〜＜４５＞の何れか１に記載の吸収性物品。
＜４７＞
前記低坪量領域の坪量は、１００ｇ／ｍ２以上、好ましくは１５０ｇ／ｍ２以上、より好ましくは２００ｇ／ｍ２以上であり、また６００ｇ／ｍ２以下、好ましくは５５０ｇ／ｍ２以下、より好ましくは５００ｇ／ｍ２以下であり、また１００ｇ／ｍ２以上６００ｇ／ｍ２以下、好ましくは１５０ｇ／ｍ２以上５５０ｇ／ｍ２以下、より好ましくは２００ｇ／ｍ２以上５００ｇ／ｍ２以下である、前記＜４３＞〜＜４６＞の何れか１に記載の吸収性物品。
＜４８＞
前記高坪量領域の坪量は、前記低坪量領域の坪量より高いことを条件として、１５０ｇ／ｍ２以上９００ｇ／ｍ２以下、好ましくは２００ｇ／ｍ２以上８５０ｇ／ｍ２以下、より好ましくは２５０ｇ／ｍ２以上８００ｇ／ｍ２以下である、前記＜４３＞〜＜４７＞の何れか１に記載の吸収性物品。
＜４９＞
前記表面シートの肌対向面における長手方向に沿う両側に一対の防漏カフを備え、且つ前記表面シートの非肌対向面に接する部材として、吸収体と裏面シートとを備えており、
前記中央低接合領域は、前記表面シートの幅方向中央域と前記吸収体の幅方向中央域とを接合しており、
前記側部高接合領域は、前記吸収体及び前記裏面シートにおける前記防漏カフの基端部近傍に位置する領域と、前記表面シートとを接合している、前記＜１＞〜＜４８＞の何れか１に記載の吸収性物品。
＜５０＞
前記表面シートと前記吸収体との間に不織布等によって構成されたサブレイヤーシートが配置されており、前記表面シートと該サブレイヤーシートとが接合されている、前記＜１＞〜＜４８＞の何れか１に記載の吸収性物品。
【符号の説明】
【００７６】
１００、１００ａ  使い捨ておむつ（吸収性物品）
１２  表面シート
１３  裏面シート
１４  吸収体
１４ａ，１４ｂ  吸収性コア
１５  防漏カフ
１５ａ  カフ形成用シート
１５ｂ  弾性部材
２１  中央低接合領域
２３  側部高接合領域
３０  折曲誘導部
３１  中央折曲誘導部
３３  側部折曲誘導部
４１  高坪量領域
４３  低坪量領域
【図１】
2020054599.tif 000003
【図２】
2020054599.tif 000004
【図３】
2020054599.tif 000005
【図４】
2020054599.tif 000006
【図５】
2020054599.tif 000007
【図６】
2020054599.tif 000008
【図７】
2020054599.tif 000009